(57)【特許請求の範囲】
【請求項１】
流体供給装置を流体塗布装置に結合するための変換アダプターにおいて、
流体塗布装置は、外部表面上に溝を含むアダプターを有し、
前記溝は、前記アダプターの底部の平面に対して予め定められた角度（ａ）で延在し、前記アダプターの底部の平面に対して前記角度（ａ）よりも小さい角度で延在する部分を含み、
前記変換アダプターは、第１の端部分と、第２の端部分と、前記第１の端部分と前記第２の端部分との間のボアを有するアダプターと、を含み、
前記第１の端部分は、流体供給装置の結合面と結合する相補形の結合面を有し、
前記第２の端部分は、前記ボアの中に形成された相補形のコネクタと、頂部および底部と、を有し、
前記相補形のコネクタは、前記ボア内に延びる突起部であり、該突起部は、前記流体塗布装置の前記アダプター上で前記溝と結合するように構成されている、変換アダプター。
【発明の詳細な説明】
【技術分野】
【０００１】
本出願は、２００４年６月３日に提出された「流体供給装置用のアダプター装置」という題の米国出願第１０／８６０，６３１号の一部継続出願である。
【０００２】
本発明は、一般的には流体塗布装置用の流体供給装置に関し、特に、流体塗布装置に流体供給装置を結合するための変換アダプターに関する。
【背景技術】
【０００３】
典型的に、車体工場内での自動車の塗装および再塗装のための塗料噴霧器のような流体塗布装置と流体供給装置の間の結合は、供給カップとアダプターとの間のネジ結合のように、流体供給装置と流体塗布装置の間のアダプターを介してなされる。然しながら、特にネジ結合部が短かい場合には、ネジ山の精密な機械加工またはシール部材を使用せずに、ネジ結合部からの漏れを防ぐことは困難である。
【０００４】
迅速かつ容易に係合、解離可能な供給カップとアダプターの結合部を作るため多くの試みがなされてきた。米国特許第６３５６６８７号および６５９５４４１号は、複数の部品を有する、塗料カップとアダプターの間の結合部を開示している。然しながら、アダプターは完全に挿入されていなくとも回すことができる。従って、該アダプターは、実際にはそうではないのに塗装カップにしっかりと結合されているように見える可能性がある。結合が不適切であると、塗料カップが塗料噴霧器から脱落して、混乱をひき起す結果となり得る。更に、上記特許に記載された結合部は不必要に複雑である。
【０００５】
【特許文献１】米国特許第６３５６６８７号明細書
【特許文献２】米国特許第６５９５４４１号明細書
【特許文献３】米国特許出願第１０／７５９３５２号明細書
【発明の開示】
【発明が解決しようとする課題】
【０００６】
従って、迅速、容易かつ確実に係合可能で、かつ、結合部の周囲を強力かつ緊密に密封する流体供給装置と流体塗布装置間の結合部の必要性がある。
【課題を解決するための手段】
【０００７】
本発明は、流体供給装置を流体塗布装置に結合するための変換アダプターを提供することによりこの必要性に応える。１つの実施形態において、流体塗布装置は外部表面上にコネクタを伴うアダプターを含み、該コネクタは突起部と溝の中から選択される。該変換アダプターは、第１と第２の端部分と、該第１と第２の端部分間のボアとを有するアダプターを含み、第１の端部分は、流体供給装置の結合面と結合する相補形の結合面を有し、第２の端部分はボアの中に相補形のコネクタを有し、第２の端部分は頂部および底部を有し、該相補形のコネクタは相補形の溝または相補形の突起部の中から選択され、該相補形のコネクタは、流体塗布装置のアダプター上でコネクタと結合するように適合されている。
【０００８】
他の実施形態では、流体供給装置は開口部を有した継手部を含み、該継手部は上端部と下端部を有し、内部表面の上端部上にコネクタを有し、該コネクタは突起部と溝の中から選択される。変換アダプターは、第１と第２の端部分と、該第１と第２の端部分の間のボアを有するアダプターを含み、該第１の端部分は外部表面上に相補形のコネクタを有し、かつ。頂部と底部を有し、該相補形のコネクタは、相補形の溝または相補形の突起部の中から選択され、該相補形のコネクタは流体供給装置の継手部上でコネクタと結合するように適合されており、第２の端部分は流体塗布装置上で結合面と結合する相補形の結合面を有する。
該発明の他の特徴は、流体塗布装置に流体供給装置を結合する方法である。
【発明を実施するための最良の形態】
【０００９】
流体塗布装置に取付けられた流体供給装置が図１に示す。１つの実施形態では、流体供給装置は、塗料のような液体を、塗料噴霧器のような流体塗布装置に供給するためのものである。以下、基体表面を塗料により塗布するために用いられる、重力によって塗料を供給するようにした噴霧器のような塗料噴霧器に関連させて本発明を説明する。こうした塗料噴霧器は、自動車車体工場のような自動車補修市場において、自動車再塗装のために使用され得る。塗料噴霧器に関連して該流体供給装置を説明するが、かかる用途に制限されるわけではない。流体塗布装置は、以下に限定されないが、飲料、食品、調味料（例えばケチャップ）、ガソリン、石油化学製品および炭化水素、水、水性溶液、溶剤型溶液、エマルジョン、接着剤等を含む他の流動性液体を供給するために使用可能である。
【００１０】
図１を参照すると、塗料噴霧器１０が示されている。該噴霧器は、本体１５、該本体１５の前端部２５に確実に固定されたノズル組立体２０、本体１５の後端部３５から下方に延びるハンドル３０を具備する。本体１５には、トリガー４０が、塗料噴霧器１０の手動式起動を目的として回動自在に取付けられている。頂部取付け式塗料供給組立体４５が、ノズル組立体２０に対し塗料を供給するために前端部２５近くで本体１５に取付けられている。ノズル組立体２０への加圧空気の供給のため、エアホース（図示せず）に空気接続部５０が結合されており、加圧空気の供給はトリガー４０によって制御されている。
【００１１】
空気接続部５０からの圧縮空気が内部通路（図示せず）を通してノズル組立体２０に供給され、圧縮空気は、塗料を霧化し、該塗料をノズル組立体２０から塗料軸５５を中心として噴霧する作用をなす。塗料は、塗料供給組立体４５からノズル組立体２０に供給される。
【００１２】
図１１〜図１４は、アダプター装置５００の１つの実施形態を示す。アダプター装置５００は、塗料噴霧器１０と外蓋５０８との間を結合するためのアダプター５０５を含む。アダプター５０５は、図１に示す塗料噴霧器１０と係合可能な第１の端部分５１０と、外蓋５０８と係合可能な第２の端部分５１５と、第１の端部分５１０と第２の端部分５１５との間の中空部５２０を含む。
【００１３】
１つの実施形態では、第１の端部分５１０は、第２の端部分５１５より小さい直径を有する。第１の端部分５１０は概ね円筒形の形状である。第１の端部分５１０は、塗料噴霧器１０の相補形の結合面５３０と係合するための結合面５２５を有する。適切な結合面５２５および相補形の結合面５３０は、以下に列挙するものに限定されないが、ネジ切り螺旋表面、ラグと溝、テーパー結合、バヨネット式結合、スナップ結合を含み、或いは、第１の端部分５１を塗料噴霧器１０と一体的に形成して、アダプター５０５が塗料噴霧器１０への補給管路となるようにしてもよい。望ましくは、結合面５２５および相補形の結合面５３０は、塗料噴霧器用の典型的サイズ、ピッチのネジとして、流体供給装置が、複数の塗料噴霧器で使用できるようにする。
【００１４】
底部５４０から頂部５４６まで延びる１または複数の溝５３５を第２の端部分５１５の外側に設けることができる。溝５３５は、第２の端部分５１５の底部５４０の平面に対して角度ａを成す。溝５３５の一部は、第２の端部分５１５の外側に螺旋状に形成されている。溝５３５は、溝５３５の平面に対して角度ｂを形成する部分５５０を含むことができる。部分５５０は、第２の端部分５１５の底部５４０の平面に対し平行とすることができる。或いは、望ましい場合には、第２の端部分５１５の底部５４０に対して一定の角度を成することができる。確実な結合を形成するためには、２つ以上の溝を使用することができる。しっかりと結合するために、２、３または４個の溝が大部分の利用分野にとって適しているが、望ましい場合には、より多数の溝を用いることが可能である。
【００１５】
外蓋５０８には、貫通する開口部５６０を備えた概ね円筒状形状の継手部５５５が一体的に形成されている。開口部５６０は概ね円形である。外蓋５０８の開口部５６０は、開口部５６０の上端において内側に突出した複数の突起部５６５を有している。突起部５６５は、継手部５５５の上縁部または望ましい場合には上縁部の下側に配置することができる。突起部５６５は典型的には棒状であるが、望ましい任意の形状とすることができる。突起部の数は溝の数に一致している。
【００１６】
第２の端部分５１５が継手部５５５内に配置されると、第２の端部分５１５の底部５４０は、突起部５６５に達するまで継手部５５５に入ることになる。こうして、アダプター５０５は継手部５５５の開口部５６０内で中心に位置決めされる。アダプター５０５は、第２の端部分の溝５３５が突起部５６５に位置合わせされるまで回転させられる。或いは、外蓋５０８をアダプター５０５上で回転させてもよい。
【００１７】
次いで、突起部５６５は溝５３５沿いに移動するように第２の端部分５１５を更に回転させることができ、これによって、第２の端部分５１５は継手部５５５内へ、そして使い捨て蓋５７５の継手部５７０へと移動する。突起部５６５が部分５５０に到達すると、第２の端部分５１５は継手部５５５に係合する。部分５５０が第２の端部分５１５の底部５４０に対して平坦である場合、第２の端部分５１５のさらなる回転によって突起部５６５は部分５５０に進入し、第２の端部分５１５が継手部５５５内に更に移動することなく、第２の端部分５１５が継手部５５５に係止される。アダプターが部分５５０の端に到達すると、アダプターの回転は停止する。この構成は、アダプターが使い捨て蓋５７６から持上げられて離れることなく、該アダプターを僅かに「回転させて緩める」ことを可能とする。かくして、アダプターが何かに偶発的に衝突した場合でも、直ちにその結合の係合解除が開始することはない。アダプターを「回転させて緩める」とき、第２の端部分５１５の底部５４０に平行である部分５５０が設けられていることによって、アダプターをゆっくりと漸次的に取外すことが可能となり、これにより、取外し中に残留塗料がまき散らされる確率は低くなる。
【００１８】
部分５５０が第２の端部分５１５の底部５４０に平行でない場合、第２の端部分５１５を回転させることで、該第２の端部分５１５は継手部５５５内に更に進入する。
【００１９】
アダプターが殆ど完全に挿入されているとき、アダプターが継手部５５５と締り嵌めにて嵌合するようにしてもよい。継手部５５５は、底部近傍で僅かに小さく形成することができ、これによって、第２の端部分５１５がアダプターと外蓋の間で係止位置に接近したときに、嵌合した感触を与えるようにできる。継手部５５５は、全周に亘って一層小さな直径を有するようにしたり、或いは、ある部分だけ小径とすることができる。
【００２０】
継手部は（図１２に示すように）外蓋の頂部から下方に延設させたり、或いは、（図１５に示すように）頂部から上方に突出させたりすることができる。
【００２１】
或いは、図１５〜図１７に示すように、第２の端部分５１５が突起部５６５を有し、継手部５５５が溝５３５を有するようにしてもよい。この構成では、突起部５６５は、第２の端部分５１５の底部または底部より僅かに上の部位とすることができる。溝５３５は、底部に向かって継手部５５５の頂部から下向きに延びることになる。溝５３５の部分５５０は、継手部５５５の底部近傍に配置されよう。作用は、上述したのと同様であろう。
【００２２】
フックや流体塗布装置のノブのような様々な部品が、アダプターと流体供給装置の間に形成された結合部と干渉するような塗料噴霧器１０もある。このような状況では、変換アダプターを塗料噴霧器のアダプターと流体供給装置の間に配設して、適正な間隔を提供するようにできる。
【００２３】
図１８〜図２３は、変換アダプター６００の異なる複数の実施形態を示す。変換アダプター６００は、第１の端部分６０５、第２の端部分６１０、および、それらの間のボア６１５を有する。流体供給装置の結合面と結合する相補形の結合面６２０を用いて、第１の端部分６０５を流体供給装置に結合することができる。該相補形の結合面および結合面は、上述のように、アダプターと外蓋を結合するために突起部と溝の構成とすることができる。或いは、それは、ネジ込み式螺旋結合、ラグと溝、テーパー結合、摩擦嵌め結合、バヨネット結合またはスナップ結合のような他のタイプの結合面／相補形の結合面とすることができる。
【００２４】
第１の端部分６０５は、望ましい場合、第２の端部分６１０よりも直径を小さくすることができる。第１および第２の端部分６０５、６１０は、望ましい場合、概ね円筒形とすることができる。
【００２５】
変換アダプター６００のボア６１５内には、１または複数の相補形のコネクタが配設されている。図１８〜図２０では、相補形のコネクタは、第２の端部分６１０の頂部でボア６１５内に延びる突起部６２５である。突起部は、第２の端部分６１０の頂部６３０の縁部に、或いは、望ましい場合には、縁部より下に配置することができる。突起部は典型的には棒状であるが、望ましいあらゆる形状とすることができる。突起部の数は、溝の数に一致している。
【００２６】
突起部は、図１１に示すアダプター５０５の溝５３５と結合する。アダプター５０５が変換アダプター６００の第２の端部分６０５内に配置されると、アダプター５０５は、それが突起部６２５に達するまで第２の端部分６０５の中に入る。こうしてアダプターは、変換アダプター６００の開口部６３５内で中心位置決めされる。アダプター５０５内の溝５３５が突起部６２５に対して位置決めされるまで、変換アダプター６００を回転させることができる。或いは、アダプター５０５を変換アダプター６００上で回転させることが可能であるろう。
【００２７】
突起部６２５が溝に沿って移動して、これによりアダプター５０５が変換アダプター６００内へ移動するように、変換アダプター６００を更に回転させることができる。突起部が部分５５０に到達すると、アダプター５０５は変換アダプター６００と係合する。部分５５０がアダプター５０５の底部５４０に平行である場合、変換アダプター６００を更に回転して突起部６２５を部分５５０沿いに移動させることによって、アダプター５０５が更に変換アダプター６００内に移動することなく、変換アダプター６００内にアダプター５０５が係止される。変換アダプターの回転は、それが部分５５０の終りに達すると停止することになる。アダプターの偶発的な衝突が、直ちにその結合の係合解除を開始させることはない。
【００２８】
部分５５０がアダプター５０５の底部に対し平行でない場合、変換アダプター６００を回転させることでこのアダプター５０５は更に変換アダプター６００内へ移動する。
【００２９】
アダプター５０５が殆ど完全に挿入されると、アダプター５０５は変換アダプター６００と締まり嵌めにて嵌合する。変換アダプター６００は第２の端部分６１０の底部６４０近くで僅かに小さくなり、アダプター５０５が係止点に近づくにつれて、しっかりと嵌合する感触を与えることができる。変換アダプター６００は全体に更に小さくすることができ、或いは、部分的に更に小さいものとしても良い。
【００３０】
或いは、図２１〜図２２に示すように、相補形のコネクタは溝６４５である。この場合、アダプターは、図１７に示すように突起部５６５を含む。溝６４５は、変換アダプター６００の第２の端部分６１０の頂部６３０から下方に延設することができる。溝６４５の一部分６５０は、変換アダプター６００の第２の端部分６１０の頂部６３０の平面に対して平行とすることができよう。作用は、上述のものと同様である。
【００３１】
変換アダプター６００の他の実施形態を図２４〜図２５に示す。変換アダプター６００は、第１の端部分６０５、第２の端部分６１０、およびそれらの間のボア６１５を有する。流体塗布装置の結合面と結合する相補形の結合面６２０を用いて、第２の端部分６１０を流体塗布装置に結合することができる。相補形の結合面６００および上記結合面は、上述したように、アダプターと外蓋を結合するために突起部と溝の構成とすることができる。或いは、それは、ネジ込み式螺旋結合、ラグと溝、テーパー結合、摩擦嵌め結合、バヨネット結合、スナップ結合、ネジ／ネジ結合またはナットとボルト結合のような他のタイプの結合面／相補形の結合面とすることができる。結合タイプに応じて、望ましい場合には、変換アダプターと流体塗布装置の間に液封シールを提供すべく、Ｏリングまたはその他のタイプのシール部材を使用することができる。
【００３２】
第１の端部分６０５は、望ましい場合、第２の端部分６１０よりも直径を小さくすることができる。第１および第２の端部分６０５、６１０は、望ましい場合、概ね円筒形とすることができる。
【００３３】
変換アダプター６００には、１または複数の相補形のコネクタが配設されている。相補形のコネクタは、変換アダプター６００の第１の端部分６０５の外部表面から延びる突起部６６５とすることができる。突起部６６５は、第１の端部分６０５の頂部６７０の縁部に、或いは、望ましい場合には、縁部より下に配置することができる。突起部は典型的には棒状であるが、望ましい任意の形状とすることができる。突起部の数は、溝の数に対応することになる。
【００３４】
突起部６６５は、（図１５に示す）継手部５５５の溝５３５と結合する。変換アダプター６００の第１の端部分６０５が継手部５５５内に配置されると、変換アダプター６００を、継手部５５５内の溝５３５が突起部６６５に位置決めされるまで回転させることができる。或いは、継手部５５５を変換アダプター６００上で回転させることが可能である。
【００３５】
このとき変換アダプター６００を更に回転させることができ、かくして突起部６２５は溝５３５に追従し、これにより、変換アダプター６００は継手部５５５内へ移動する。突起部６６５が部分５５０に到達すると、変換アダプター６００は継手部５５５と係合する。部分５５０が変換アダプター６００の頂部６７０に平行である場合、変換アダプター６００のさらなる回転により突起部６６５は部分５５０沿いに移動し、変換アダプター６００が更に継手部５５５内に移動することなく、継手部５５５内に変換アダプター６００が係止されることになる。変換アダプターの回転は、それが部分５５０の終りに達すると停止することになる。変換アダプター６００の偶発的な衝突によって、直ちにその結合が外れ始めることはない。
【００３６】
部分５５０が継手部５５５の頂部に対し平行でない場合、変換アダプター６００を回転させることでこの変換アダプター６００は更に継手部５５５内へ移動することになる。
【００３７】
変換アダプター６００は、ほぼ完全に挿入されると、継手部５５５にと締まり嵌めを有することができる。継手部５５５内の開口部は底部近くで僅かに小さくなり、変換アダプター６００が係止点に近づくにつれて、しっかりと嵌合する感触を与えることができる。継手部５５５は全体に更に小さいものであり得、そうでなければいくつかの部分のみを更に小さいものとしても良い。
【００３８】
或いは、図２５に示すように、相補形のコネクタは溝６７５である。この場合、変換アダプター６００は、図１２に示すように突起部５６５を含む。溝６７５は、変換アダプター６００の第１の端部分６０５の頂部６７０から下方に延設することができる。溝６７５の一部分６８０は、変換アダプター６００の第１の端部分６０５の頂部６７０の平面に対して平行とすることができよう。作用は、上述のものと同様である。
【００３９】
変換アダプターは一体成形品であっても、又望ましい場合には２部品以上でもあっても良い。例えば第１の端部分は、１部品であり得、第２の端部分は第２の部品とすることができる。２つの端部は、ネジ込み式螺旋結合、ラグと溝、テーパー結合、摩擦嵌め結合、バヨネット結合、スナップ結合、ネジ／ネジ結合、またはナットおよびボルト結合のような適切な結合を用いて結合することができる。
【００４０】
図２６は、２部品変換アダプター７００の１つの実施形態を示す。第１の部品７０５は第１の端部分７１０を含み、第２の部品７１５は第２の端部分７２０を含む。第１の端部分７０５は、流体塗布装置のアダプターのボア内に嵌め込まれる（アダプターは望ましい場合には、流体塗布装置と一体に形成することができる）。第１の端部分７０５は、概ね円筒形で、薄い壁を有することができる。これには、外部表面にローレット７２５を設けることができる。
【００４１】
第２の部品７１０は、一端にネジ結合部７３０を有し、他端に第２の端部分７２０を有する。ネジ結合部７３０は、第２の端部分７２０よりも小さい直径を有する。ネジ結合部７３０と第２の端部分７２０の間には、ネジ結合部７３０から第２の端部分７２０に向かって外向きにテーパーが付いた中間部分が設けられている。
【００４２】
第１の部品７０５は流体塗布装置のボアの中に挿入される。ローレット７２５は、流体塗布装置のアダプターのボアに締まり嵌めにて嵌合する。これは、ボア内での回転防止を補助する。次に、第２の部品７１５は第１の部品７０５に取付けられる。第２の部品７１５は、第１の部品７０５の内側のネジ結合部（図示せず）に係合するネジ結合部７３０を用いて第１の部品７０５内に螺着することができる。第２の部品７１５が第１の部品７０５の中にネジ込まれるにつれて、テーパー付きの中間部分７３５によって第１の部品の薄い壁が膨出して、流体塗布装置のボア内の所定の位置に係合する。
【００４３】
第２の端部分７２０は、上述の通り、流体供給装置の継手部に対し変換アダプター７００を取付けるのに使用可能である相補形のコネクタ溝７４０を有することができる。或いは、第２の部品７２０は、同じく上述の通り、相補形のコネクタ突起部を有することができる。
【００４４】
流体塗布装置のボアに第１の部品７０５を挿入し、そこから取外すために、ネジを用いることができる。ネジは第１の部品７０５の内側のネジ結合部に取付けることができ、第１の部品７０５を、流体アダプターのボア内の所定の位置に打込むことができる。次に第２の部品７１５を取付けることができる。第１の部品７０５をボアから取外すためには、第２の部品７１５を取外す。次に、第１の部品７０５にネジを取付けることができ、第１の部品７０５が取付けられたネジを、ボアから引き抜くことができる。
【００４５】
本発明のアダプター装置は、本明細書に記載されているように継手部を備えた外蓋を有するあらゆる流体供給装置と共に使用することができる。これは、その開示が本明細書に参考として内含されている２００４年１月１６日付けの「流体供給装置」についての共有譲渡された出願、代理人事件整理番号１４４０６、出願第１０／７５９，３５２号の中で記載されている流体供給装置と共に使用するのに特に適している。
【００４６】
図１〜図３は、本発明の塗料供給組立体４５の第１の実施形態を示している。塗料供給組立体には、使い捨てカップ５５が含まれている。使い捨てカップ５５は、概ね円筒形である側壁６０を有する。カップの頂部にある出口端部６５は開放しており、底部７０は閉鎖されている。側壁６０、出口端部６５および底部７０が内部７５を画定している。出口端部６５は１本の軸８０を画定している。出口端部６５の縁部から上向きおよび下向きに延びるフランジ８５が配設されている。フランジ８５は、出口端部６５の軸８０から約１０°〜約７０°の範囲内の角度で下向きに延びている。
【００４７】
使い捨てカップ５５は、望ましい場合透明なまたは半透明なプラスチックで作ることができる。適切なプラスチックとしては、これに限定されないが、低密度ポリエチレンが含まれる。前記使い捨てカップは、塗料が供給される間に該使い捨てカップが潰れることができるように柔軟な側壁を有することができる。側壁は、薄くすることができ、例えば、0.076mm〜約0.203mm(約0.003inch〜約0.008inch)とすることができる。前記底部は、前記側壁が潰れたときでも該底部が実質的に平坦に保持されるように、0.0762mm〜0.508mm（約0.003inch〜約0.02inch）の範囲とすることができる。側壁が潰れるので、該使い捨てカップには通気孔は必要ない。これによって、漏れることなく如何なる角度でも塗料噴霧器から噴霧することが可能となり、また、カップ内の塗料を従来の重力式に塗料を供給するカップよりも一層多く使用可能となる。
【００４８】
再利用可能なカップホルダー９０は概ね円筒形である。これは、側壁９５、開放上端部１００および下端部１０５を有する。下端部１０５は中に開口部１１０を有する。開口部１１０は、望ましい場合、下端部１０５の全てまたはほぼ全てを網羅することができる。或いは、下端部は１または複数のより小さな開口部を有することができる。下端部１０５内の開口部１１０は、使用中に大気圧が使い捨てカップが圧壊するのを補助できるようになっている。再利用可能なカップホルダー９０は、下端部１０５から下向きに延びる１または複数の脚部１１２を含むことができる。脚部は、開口部１１０（すなわち円形リブ）の周囲全体にわたって延びていてもよいし、或いは又、開口部１１０の周囲の一部分のみに延びていることができる。脚部１１２は、以下に説明する通り流体供給装置を積重ねる上で一助となり得る。
【００４９】
上端部１００は１本の軸１１５を画定する。フランジ１２０は上端部１００の縁部から外向きおよび下向きに延びている。フランジ１２０は、上端部１００の軸１１５から約１０°〜約７０°の範囲内の角度βで下向きに延びている。角度βは、使い捨てカップ５５のフランジ８５の角度αと実質的に同じである。使い捨てカップ５５が再利用可能なカップホルダー９０内に置かれる場合、再利用可能なカップホルダー９０のフランジ１２０は、使い捨てカップ５５のフランジ８５を支持する。
【００５０】
再利用可能なカップホルダー９０の上端部１００には結合面１２５が配設されている。結合面１２５は側壁上にあってもよいし、側壁から外に延びていてもよいし、或いは又、望ましい場合にはフランジ１２０の端部から外向きに延びることもできる。
【００５１】
再使用可能なカップホルダ９０は、以下に限定されないが、ポリプロピレンや高密度ポリエチレンを含む剛性プラスチックから形成することができる。望ましくは、再使用可能なカップホルダが塗料振盪機(paint shaker machine)のクランプ力に耐えるのに十分強いプラスチックが選択される。前記プラスチックは、不透明であってもよいが、望ましくは、透明または半透明である。不透明プラスチックを使用する場合には、使い捨てカップおよび該使い捨てカップの内容物が見えるように、細長い開口部を側壁に形成すべきであろう。典型的には、側壁は、約0.508mm〜約2.03mm（約0.02inch〜約0.08inch）の厚さとすることができる。
【００５２】
使い捨て蓋１３０は、概ね円錐台形状の部分１３５を有する。円錐台部１３５の外縁部１４０は軸線１４５を規定する。円錐台部１３５の外縁部１４０の角度γは、軸線１４５から約１０°〜７０°の範囲にある。角度γは、使い捨てカップ５５のフランジ８５の角度αと実質的に同一である。使い捨て蓋１３０は、使い捨てカップ５５の上に装着され、使い捨て蓋１３０の縁部１４０が使い捨てカップ５５のフランジ８５に係合する。望ましい場合には、使い捨て蓋１３０の内側に、下方に突出するリブ１５０を設けることができる。下方に突出するリブ１５０は、使い捨てカップの内部７５に突出して、使い捨てカップ５５の側壁６０の内面に係合してシール部を形成する。更に、使い捨て蓋１３０の内面には、下方に突出する密封ビード部１５５を形成することができる。下方に突出する密封ビード部１５５は、使い捨てカップ５５のフランジ８５に係合して、密封を補助する。
【００５３】
継手部１６０が円錐台部１３５に一体的に連結されている。継手部１６０を貫通して開口部１６５が形成されている。
【００５４】
使い捨て蓋１３０は、透明、半透明または不透明のプラスチックから形成することができる。適当なプラスチックには、以下に列挙するものに限定されないが、ポリプロピレンまたは高密度ポリエチレンが含まれる。
【００５５】
再使用可能な外蓋１７０は、概ね円錐台形状の部分１７５を有している。円錐台部１７５の外縁部１８０は軸線１８５を規定する。円錐台部１７５の外縁部１８０の角度δは、軸線１８５から約１０°〜７０°の範囲にある。角度δは、再使用可能なカップホルダ９０のフランジ１２０の角度βと実質的に同一である。再使用可能な外蓋１７０の外縁部１８０には、相補形の結合面１９０が設けられている。本実施形態では、相補形の結合面１９０は、外縁部１８０から下方に延設されているが、他の構成も可能である。相補形の結合面１９０は、再使用可能なカップホルダ９０の結合面１２５に係合して、再使用可能なカップホルダ９０と再使用可能な外蓋１７０とを共にシールする。
【００５６】
再使用可能な外蓋は、円錐台部１７５に一体的に連結された継手部１９５を有している。継手部１９５には開口部２００が貫通、形成されている。使い捨て蓋１３０の継手部１６０は、再使用可能な外蓋１７０の継手部１９５内に嵌合する。
【００５７】
再使用可能な外蓋１７０は、強く強靱なプラスチックから形成することができる。望ましくは、再使用可能な外蓋が、塗料振盪機のクランプ力に耐えるのに十分強いプラスチックが選択される。適切なプラスチックの例は、限定されないが、アセタールを含む。アセタールは通常透明ではない。再使用可能な外蓋１７０は、望ましい場合には、塗料レベルがユーザから見えるように１または複数の覗き孔を含むことがでいる。覗き孔によって、塗料タイプの名称を使い捨て蓋にユーザが書くことができ、また、使い捨て蓋を再使用可能な外蓋から容易に取外可能となる。
【００５８】
管路２１０によって流体供給装置は塗料噴霧器１０に連結される。管路２１０は、再使用可能な外蓋１７０の継手部１９５および使い捨て蓋１３０の継手部１６０に係合する。管路２１０には穴２１５が貫通、形成されている。使い捨てカップ５５の内部７５から使い捨て蓋１３０の開口部１６５および管路２１０の穴２１５を通って塗料噴霧器１０へ流体が流れるための通路が形成される。管路２１０の穴２１５内、再使用可能な外蓋１７０の開口部２００内または使い捨て蓋１３０の開口部１６５内にフィルタ２２０を配設して、不純物を濾過するようにできる。
【００５９】
流体供給装置を使用するために、使い捨てカップ５５が再使用可能なカップホルダ９０内に配置される。使い捨てカップ５５のフランジ８５が再使用可能なカップホルダ９０のフランジ１２０に係合する。フランジ８５は、使い捨てカップ５５を再使用可能なカップホルダ９０内に中心位置決めする。
【００６０】
使い捨てカップ５５または再利用可能なカップホルダー９０の何れか一方または双方の上に表示部を設けることができる。この表示部２３０は側面に成形したり、側面に印刷することができ、ラベルを側面に貼付したり、或いは、他の形態で該表示部を提供することができる。表示部２３０は、塗料成分を測定するために使用可能である。或いは、使い捨てカップおよび再利用可能なカップホルダーを秤の上で用いたり、測定スティックと共に使用して塗料成分を測定することもできる。
【００６１】
表示部には、例えば４：１の混合比、２：１の混合比、３：２：１の混合比などの１または複数の混合比を備えた混合比尺度を含むことができる。各々の混合比は、異なる量の流体を各々の混合比を用いて測定できるように、１または複数の異なる寸法の目盛を含むことができる。表示部には同様に１または複数の汎用尺度、すなわち、同じ寸法の目盛を含むことができる。１つの汎用尺度は、２０個の等目盛、更に１０個の等目盛、第３の５個の等目盛を有することができる。必要に応じて多数の汎用尺度を設けることができる。複数の汎用尺度を設けることにより、ユーザーは、混合比尺度を用いることなく異なる流体量を測定可能となり、混合比尺度を設けなくともよくなる。ユーザーは、必要な流体量に基づいて、適切な汎用尺度を選択することができよう。
【００６２】
或いは、透明で薄く平坦なプラスチックシートに測定ガイドを印刷することができる。戦記プラスチックシートは、該シートの両面に、以下に限定されないが、タブとスロットのような結合部を有する。プラスチックシートは筒状に形成され、前記タブが前記スロット内に挿入される。測定ガイドをテーブル上に設置し、使い捨てカップ、または、使い捨てカップを中に配置した再利用可能なカップホルダーを、前記筒内に設置することができる。塗料成分を測定した後、使い捨てカップ（および存在する場合には再利用可能なカップホルダー）が前記筒から取外される。これは、フランジにより使い捨てカップを持ち上げることによって、或いは、シートのタブをスロットから外すことによって行なうことができる。取外タブをフランジ１８０に１８０°離して設けることによって、使い捨てカップの取外しが容易になる。次いで、（カップがカップホルダ内に既に配置されていなければ）使い捨てカップは、再利用可能なカップホルダー内に配置可能となる。測定ガイドは、塗料成分を測定するにあたって見易さと正確さを高める。矩形形状が製造容易である。これによって、使い捨てカップまたは再利用可能なカップホルダーにラベルを正確に設置する必要がなくなる。そして、それはまた、ラベルよりも（すなわち、ラベル、再利用可能なカップホルダーおよび使い捨てカップを通して見るよりも）表示部を一層直接的に見ることを可能とする。このことは、より小径の使い捨てカップを使用される場合に、特に有利である。と言うのは、表示部が使い捨てカップの直ぐ隣に設置することができるからである。最後に、使い捨てカップを単独で用いる場合、再利用可能なカップホルダーは、塗料の注入および測定の際に使用されないため、より清浄な状態にとどまる。
【００６３】
シートは、測定ガイドが異なるサイズの使い捨てカップと共に使用され得るような形で、異なるサイズで形成可能である。再利用可能なカップホルダーおよび／またはより大きな使い捨てカップについては、より大きなシートを使用することができる。より大きなシートで形成された筒は、再利用可能なカップホルダーおよび／またはより大きな使い捨てカップを中に装着できるように充分大きいものである。より大きなシートは、より大きい使い捨てカップが再利用可能なカップホルダーと共に使用されるか否かに応じて、表示部を適正に位置決めできるように、底部近くの破線のような目印を含むことができる。脚部を有する再利用可能なカップホルダーと共により大きな使い捨てカップが使用される場合に、全面シートを使用する可能性がある。より大きな使い捨てカップが単独で用いられる場合（または、再利用可能なカップが、例えば脚部を有していないために、位置決めに影響を及ぼさない場合）、シートを目印において切断することができる。こうして、いずれの状況においても、適正な位置決めが可能となる。より小さい使い捨てカップが使用される場合、より小さいシートを使用することができるだろう。一般に、流体を測定する際、表示部とより小さな使い捨てカップとを適正に位置決めするために、より小さい使い捨てカップについて再利用可能なカップホルダーを使用することはない。
【００６４】
使い捨てカップ５５が塗料で満たされた後、使い捨て蓋１３０は、使い捨てカップ５５の頂部に設置される。使い捨て蓋１３０の縁部１４０の角度γは、使い捨て蓋１３０の縁部が使い捨てカップ５５のフランジ８５の角度αと実質的に同じであり、かくして使い捨て蓋１３０の縁部１４０が使い捨てカップ５５のフランジ８５と結合するようになっている。角度γは、使い捨てのカップ５５上で使い捨て蓋１３０を心出しする。使い捨て蓋１３０の角度γは同様に、流体供給装置の全体的外径を増大させることなく、付加的なシール面積を可能にする。
【００６５】
使い捨て蓋１３０の内側にある下向きに延びるリブ１５０は、使い捨てカップ５５の内側に嵌め合わさる。使い捨て蓋５５の内側周囲の一部分にわたって延びる１または複数の下向きに延びるリブ１５０を、該使い捨て蓋１３０の周囲に設けることができ、或いは、該リブは全周にわたり延びることもできる。下向きに延びるリブ１５０は、使い捨て蓋５５を所定の位置に保ち、これはシール部材としても作用することができる。使い捨て蓋５５は同様に、シールを改善させるべく使い捨てカップ５５のフランジ８５と接触する下向きに延びるシール用ビード１５５を有することもできる。
【００６６】
再利用可能な外蓋１７０は、使い捨て蓋１３０の頂部に設置される。これは、再利用可能なカップホルダー９０の結合面１２５と再利用可能な外蓋１７０の相補形の結合面１９０を用いて再利用可能なカップホルダー９０に締められる。適切な結合面および相補形の結合面には、ネジ結合、ラグと溝、およびピンとスロットが含まれるが、これらに制限されるわけではない。
【００６７】
再利用可能な外蓋１７０の外縁部１８０は、再利用可能なカップホルダー９０のフランジ１２０の角度βと実質的に同じである角度δを有する。再利用可能なカップホルダー９０に再利用可能な外蓋１７０を締着することで、再利用可能な外蓋１７０の縁部１８０と再利用可能なカップホルダー９０のフランジ１２０の間で使い捨てフタ１３０の縁部１４０と使い捨てカップ５５のフランジ８５が一緒に挟持される。該角度は、トルクの増大なく挟持力を増大させる。
【００６８】
使い捨て５５のフランジ８５の角度α、使い捨て蓋１３０の縁部１４０の角度γ、再利用可能なカップホルダー９０のフランジ１２０のβ、および再利用可能な外蓋１７０の縁部のδは一般に、それぞれの軸から約１０°〜約７０°の範囲、典型的には約２０°〜約６０°、より典型的には約３０°〜約５０°、より典型的には約３５°〜約４５°の範囲内にある。
【００６９】
使用中に使い捨て蓋が塗料噴霧器の塗料軸に対し実質的に平行となるような形で流体供給装置が塗料噴霧器に取付けられている角度と、使い捨てカップ５５のフランジ８５および使い捨て蓋１３０の縁部１４０の角度αおよびγが一致している場合、使い捨てカップ内の塗料のほぼ全てが使用される。典型的な混合塗料のコストは、流体１オンスにつき１ドル超であることから、塗料の無駄を削減することが重要な考慮事項である。
【００７０】
使い捨て蓋１３０の継手部１６０をカバーするためにプラグ２３５を使用することができる。プラグ２３５は、継手部１６０の内側または外側に嵌合する。プラグ２３０は、振盪、貯蔵のために継手部１６０内の開口部１６５を密閉する。
【００７１】
１つの実施形態では、本発明の流体供給装置は、付加的ないかなる支持体も無く塗料振盪機内に設置されるのに充分な強度をもつものである。
【００７２】
管路２１０は、再利用可能な外蓋１７０の継手部１９５内に設置される。任意のフィルタ２２０が管路２１０の開口部２１５内に挿入される。或いは、使い捨て蓋１３０の継手部１６０または再利用可能な外蓋１７０の継手部１９５の中にフィルタ２２０を設置することができるだろう。フィルタ２２０は、望ましい場合、圧壊した使い捨てカップ５５が管路２１０まで開口部１６５を閉塞するのを防ぐ突起部２２５を有することができる。突起部２２５は同様に、清浄または廃棄のためにフィルタ２２５を取外すのにも使用可能である。望ましい場合には、管路２１０に溶剤を充填し、貯蔵のためにプラグをすることができる。内側嵌め込みプラグ２３５が、使い捨てカップ１３０の継手部１６０のために用いられる場合、同じサイズのプラグは、管路内にも同様に嵌込まれる。
【００７３】
流体供給装置は管路２１０に取付けられる。管路２１０は再利用可能な外蓋１７０および塗料噴霧器１０に結合し、使い捨てカップ５５の内部７５から塗料噴霧器１０までの流路を提供する。
【００７４】
再利用可能な外蓋についての変形実施形態は図４に示す。この実施形態では、再利用可能な外蓋３００は、３０５および外側部分３１０を有する。外側部分３１０は概ね円錐形である。外縁部３１５は１本の軸３２０を画定する。外縁部３１５の角度δａは、軸３２０から約１０°〜約７０°の範囲内にある。第１の実施形態と同様、角度δａは、再利用可能なカップホルダー９０のフランジ１２０の角度βと実質的に同じである。
【００７５】
内側部分３０５は実質的に平担である。或いは、それは外縁部３１５の角度δａとは異なる角度であって良い。それは任意には１または複数の上向きに延びるつめ３２５を含むことができる。つめ３２５は再利用可能な外蓋３００の周囲全体またはその一部分にわたり延びることができる。これらのつめは、隣接する再利用可能なカップホルダー９０ａの脚部１１２と結合して流体供給装置を互いに積重ねることができるように、配置することができる。
【００７６】
再利用可能なカップホルダーの脚部１１２を横断する距離が再利用可能なカップの下縁部の直径よりも小さく、再利用可能なカップホルダーを塗料振盪機内で使用すべきである場合には、再利用可能なカップホルダーの底部上に第２の環を含むことが望ましいかもしれない。該第２の環は、塗料振盪機の挟持力を再利用可能なカップホルダーの側壁に伝達し、再利用可能なカップホルダーの底部のたわみを削減すべく、再利用可能なカップホルダーの下端部と同じ（または実質的に同じ）直径であるべきである。
【００７７】
再利用可能な外蓋は、内側部分３０５に一体的に結合された継手部３３０を有する。継手部３３０は、その中を通って延びる開口部３３５を有する。
【００７８】
再利用可能な外蓋３００の外縁部３１５は、再利用可能なカップホルダー９０のフランジ１２０と結合する。再利用可能な外蓋３００の外縁部３１５には相補形の結合面３４０が設けられている。相補形の結合面３４０は、再利用可能なカップホルダー９０の結合面１２５と結合して、再利用可能なカップホルダー９０および再利用可能な外蓋３００を一緒にシールする。
【００７９】
使い捨て蓋の１変形実施形態は、図５〜図６に示す。使い捨て蓋３５０は内側部分３５５と外側部分３６０を有する。外側部分３６０は概ね円錐形である。外側部分３６０の外縁部３６５は、１本の軸を画定する。外側部分３６０の外縁部３６５の角度γａは軸３７０から約１０°〜約７０°の範囲内にある。第１の実施形態の場合と同様、角度γａは使い捨てカップ５５のフランジ８５の角度αと実質的に同じである。
【００８０】
内側部分３５５は、概ね円錐形の部品３７５および外端部において上向きに延びる突起部３８０を有する。上向きに延びる突起部３８０は外側部分３６０に結合される。内側部分に一体的に結合された継手部３８５が配設されている。継手部３８５は、その中を通って延びる開口部３９０を有する。
【００８１】
外側部分３６０は、使い捨てカップ５５のフランジ８５と結合する。上向きに延びる突起部３８０は、使い捨てカップ５５の出口端部６５の内側に嵌め合わされて付加的なシールを形成する。
【００８２】
使い捨てカップの変形実施形態が図７〜図１０に示す。図７において、使い捨てカップ４００は、概ね円筒形の下部側壁部分４０５、概ね円錐形の中間側壁部分４１５および概ね円筒形の上部側壁部分４２０を有する。
【００８３】
使い捨てカップ４００の頂部にある出口端部４２５は開放しており、底部４３０は閉じている。下部側壁部分４０５、中間側壁部分４１５および上部側壁部分４２０、出口端部４２５および底部４３０が、内部４３５を画定する。この内部４３５は内部７５よりも小さい。下部側壁部分のより小さな直径は、より少ない塗料を使用すべきである場合に、塗料の比の正確な測定を可能にする。
【００８４】
出口端部４２５は１本の軸４４０を画定する。出口端部４２５の縁部から外向きおよび下向きに延びるフランジ４４５が設けられている。フランジ４４５は、出口端部４２５の軸４４０から約１０°から約７０°までの範囲内の角度αａを成して下向きに延びる。出口端部４２５は、再利用可能なカップホルダー内に設置されるように適合させられており、従ってそれは再利用可能なカップホルダー内に嵌め合わさるような寸法を有する。
【００８５】
或いは、概ね円筒形の下部側壁部分は、心外れしていてよい、すなわち上部側壁部分と同心でなくてよい。こうして、再利用可能なカップホルダーの側壁の近くに下部側壁部分が置かれ、あらゆる測定用表示部の容易な読取りが可能となる。
【００８６】
図８−１０では、使い捨てカップ４５０は、概ね楕円形の下部側壁部分４５５および下部側壁部分から全体として円筒形の上部側壁部分４６５まで延びる中間側壁部分４６０を有する。
【００８７】
使い捨てカップ４５０の頂部の出口端部４７０は開放しており、底部４７５は閉じている。下部側壁部分４５５、中間側壁部分４６０および上部側壁部分４６５、出口端部４７０および底部４７５が、内部４８０を画定する。この内部４８０は内部７５よりも小さい。楕円の形状により、使い捨てカップが再利用可能なカップホルダーの近くまで拡がることから、塗料を測定するために表示部を読み取るのが更に容易になる。楕円の長軸は、再利用可能なカップホルダーの全直径または実質的に全直径を横断して延びるか、または全直径または実質的全直径よりも幾分か少ない距離を横断して延びることができる。
【００８８】
出口端部４７０は１本の軸４８５を画定する。出口端部４７０の縁部から外向きおよび下向きに延びるフランジ４９０が設けられている。フランジ４９０は、出口端部４７０の軸４８５から約１０°〜約７０°までの範囲内の角度αａを成して下向きに延びる。出口端部４７０は、再利用可能なカップホルダー内に設置されるように適合させられており、従ってそれは再利用可能なカップホルダー内に嵌め合わさるような寸法を有する。
【００８９】
これらの実施形態では、使い捨てカップの出口端部を横断する距離は、少なくとも一つの方向で底部を横断する距離よりも大きい。使い捨てカップのより小さい部分は、側壁の全高さまたは側壁の全高さより少なく延びることができる。側壁が円筒形であり、より小さい直径の部分が側壁の全高さに延びている場合、それを平坦な環状部分によりフランジに結合することが可能である。それが側壁の全高さに延びていない場合、それを概ね円錐形の上部側壁部分により結合することができる。当業者にとっては周知であるように、その他の側壁配置も可能である。
【００９０】
使い捨てカップのこの実施形態は、アセンブリに対し何ら修正を加えることなく再利用可能なカップホルダーおよび外蓋および再利用可能なフタと共に使用可能であり、流体供給装置内で異なるサイズの使い捨てカップを使用することが可能になる。
【００９１】
流体供給装置は、製造および使用が容易であることを理由として典型的形状である概ね円筒形をした再利用可能なカップホルダーおよび使い捨てカップと共に図示され説明されてきた。然しながら、正方形、三角形、五角形、楕円形などを含めた（ただしこれらに制限されるわけではない）その他の形状でこれを作ることも可能である。
【００９２】
いくつかの代表的な実施形態および詳細が該発明を例示する目的で示されてきたが、当業者にとっては、本明細書で開示されている構成および方法に関する様々な変更を、添付のクレームで定義されている該発明の範囲から逸脱することなく加えることができるということが明らかとなるであろう。
【図面の簡単な説明】
【００９３】
【図１】流体供給装置と共に示す重力供給式の塗料噴霧器の側面立面図である。
【図２】流体供給装置の１つの実施形態の分解組立側面断面図である。
【図３】再利用可能なカップホルダーおよび再利用可能な外蓋の間の組立て済み結合の部分側面断面図である。
【図４】流体供給装置の積重ねを示す再利用可能な外蓋の代替的実施形態の部分側面断面図である。
【図５】使い捨てフタの代替的実施形態の側面断面図である。
【図６】図５の使い捨てフタおよび使い捨てカップの代替的実施形態の組立て済み側面断面図である。
【図７】使い捨てカップの代替的実施形態の側面断面図である。
【図８】使い捨てカップの代替的実施形態の頂部図である。
【図９】一方の軸内で見た図８の使い捨てカップの側面断面図である。
【図１０】もう一方の軸内で見た図８の使い捨てカップの側面断面図である。
【図１１】アダプターの１つの実施形態の側面図である。
【図１２】外蓋の１つの実施形態の側面断面図である。
【図１３】図１２の外蓋の頂面図である。
【図１４】アダプターの１つの実施形態と再利用可能な外蓋の間の結合の部分的組立て済み側面断面図である。
【図１５】外蓋の他の実施形態の側面断面図である。
【図１６】図１５の再利用可能な外蓋の実施形態の斜視図である。
【図１７】図１５および１６の外蓋と共に使用されるべきアダプターの他の実施形態の側面図である。
【図１８】本発明の変換アダプターの１つの実施形態の横断面図である。
【図１９】図１８の実施形態の頂部図である。
【図２０】流体塗布装置のアダプターと変換アダプターの１つの実施形態の間の結合の部分的組立て済み側面断面図である。
【図２１】本発明の変換アダプターの他の実施形態の横断面図である。
【図２２】図２０の実施形態の内側の一部切取り図である。
【図２３】本発明の変換アダプターを用いて取付けられた流体供給装置を伴う重力によって塗料を供給するようにした塗料噴霧器の側面立面図である。
【図２４】本発明の変換アダプターの他の実施形態の横断面図である。
【図２５】本発明の変換アダプターの他の実施形態の側面図である。
【図２６】２部品変換アダプターの１つの実施形態の側面図である。
【符号の説明】
【００９４】
１０    塗料噴霧器
１５    本体
２０    ノズル組立体
２５    先端
３０    ハンドル
４０    トリガー
４５    塗料供給装置
５５    使い捨てカップ
９０    再使用可能なカップホルダ
１２５    結合面
１３０    使い捨て蓋
５００    アダプター装置
５０５    アダプター
５０８    外蓋
５１０    第１の端部分
５１５    第２の端部分
５３５    溝
５４０    底部
５４５    頂部
５５５    継手部
５６０    開口部
５６５    突起部
５７５    使い捨て蓋
【図１】
0005487371.tif 000002
【図２】
0005487371.tif 000003
【図３】
0005487371.tif 000004
【図４】
0005487371.tif 000005
【図５】
0005487371.tif 000006
【図６】
0005487371.tif 000007
【図７】
0005487371.tif 000008
【図８】
0005487371.tif 000009
【図９】
0005487371.tif 000010
【図１０】
0005487371.tif 000011
【図１１】
0005487371.tif 000012
【図１２】
0005487371.tif 000013
【図１３】
0005487371.tif 000014
【図１４】
0005487371.tif 000015
【図１５】
0005487371.tif 000016
【図１６】
0005487371.tif 000017
【図１７】
0005487371.tif 000018
【図１８】
0005487371.tif 000019
【図１９】
0005487371.tif 000020
【図２０】
0005487371.tif 000021
【図２１】
0005487371.tif 000022
【図２２】
0005487371.tif 000023
【図２３】
0005487371.tif 000024
【図２４】
0005487371.tif 000025
【図２５】
0005487371.tif 000026
【図２６】
0005487371.tif 000027